(57)【要約】【課題】環境試験装置等に用いられる冷凍装置のホットガス供給時又は供給停止時の冷凍能力の急変を緩和して制御を安定化して運転時の省エネを図る。【解決手段】電子膨張弁１、電磁弁５、ホットガス供給系６、制御部７、８、９、優先信号発信部分９１、信号切換制御部分９２、等を有する。【効果】冷凍能力の要求値が低いときに、制御部８で検出した開度信号Ｐが下限値Ｐ１  以下になると電磁弁開信号Ｓｏを発生させて電磁弁を開くと共に発信部分９１にもＳｏを送り、電磁弁開時の冷凍能力に相当する電子膨張弁開度Ｐｕを制御部分９２に与え、Ｐｕを優先させて電子膨張弁の開度を制御する。冷凍能力の要求値が高くなるとその反対の制御をする。電磁弁の開閉に対応して電子膨張弁の開度を強制制御することにより、冷凍能力の急変を防止し、空調条件の安定化と省エネ化を図ることができる。【選択図】        図１
2004218890.tif 000002
【特許請求の範囲】
【請求項１】
開度信号が与えられて開度を制御される電子膨張弁と、冷凍能力が低いときに前記冷凍能力に対応して開又は閉にされる開閉弁を介して圧縮機で圧縮されたホットガスを蒸発器に供給可能なホットガス供給系とを備えた冷凍装置において、
前記開閉弁が開になると前記開度を所定量大きくするように前記開度信号に優先させて開度アップ信号を前記電子膨張弁に与える開制御手段と前記開閉弁が閉になると前記電子膨張弁の開度を所定量小さくするように前記開度信号に優先させて開度ダウン信号を前記電子膨張弁に与える閉制御手段とを備えた電子膨張弁優先開度制御部を設けたことを特徴とする冷凍装置。
【請求項２】
前記開閉く弁が開いているときの前記開度の最小値を前記開閉弁が閉じているときの前記開度の最小値より小さくしたことを特徴とする請求項１に記載の冷凍装置。
【発明の詳細な説明】
【０００１】
【発明の属する技術分野】
本発明は、開度信号が与えられて開度を制御される電子膨張弁と、冷凍能力が低いときに前記冷凍能力に対応して開又は閉にされる開閉弁を介して圧縮機で圧縮されたホットガスを蒸発器に供給可能なホットガス供給系とを備えた冷凍装置に関し、特に制御可能な冷凍能力の下方への延長とそのときの冷凍能力の安定化技術に関する。
【０００２】
【従来の技術】
従来の冷凍装置としては、電子膨張弁の開度を制御して冷凍能力を制御すると共に、圧縮機の吸入圧力の制限等から電子膨張弁の開度を一定以下に下げられないときに、電磁弁を介在させたホットガス系を設けて、これを開閉させることにより、電子膨張弁の下限開度を維持して更に冷凍能力を下げ、冷凍装置の装備される環境試験装置等の空調装置における省エネ運転を可能にした装置が知られている。
【０００３】
しかしながら、このような冷凍装置では、電磁弁の開閉によって冷凍能力が急激に変動し、空調される循環空気の温度及び湿度が変動し、その後加熱器及び加湿器の出力が調整され、更に電子膨張弁の開度が調整されて冷凍能力が通常の制御状態に復帰することになり、一度循環空気の温度及び湿度が乱れることになるため、環境試験装置等にこのような冷凍装置を使用すると、試験条件である温度及び湿度を安定して精度良く制御できないという問題があった。
【０００４】
【発明が解決しようとする課題】
本発明は従来技術における上記問題を解決し、冷凍装置が使用される環境試験装置等の空調装置の温度及び湿度を乱すことなく、必要時に運転の省エネ化を図ることができる冷凍装置を提供することを課題とする。
【０００５】
【課題を解決するための手段】
本発明は上記課題を解決するために、請求項１の発明は、開度信号が与えられて開度を制御される電子膨張弁と、冷凍能力が低いときに前記冷凍能力に対応して開又は閉にされる開閉弁を介して圧縮機で圧縮されたホットガスを蒸発器に供給可能なホットガス供給系とを備えた冷凍装置において、
前記開閉弁が開になると前記開度を所定量大きくするように前記開度信号に優先させて開度アップ信号を前記電子膨張弁に与える開制御手段と前記開閉弁が閉になると前記電子膨張弁の開度を所定量小さくするように前記開度信号に優先させて開度ダウン信号を前記電子膨張弁に与える閉制御手段とを備えた電子膨張弁優先開度制御部を設けたことを特徴とする。
【０００６】
請求項２の発明は、上記に加えて、前記開閉弁が開いているときの前記開度の最小値を前記開閉弁が閉じているときの前記開度の最小値より小さくしたことを特徴とする。
【０００７】
【発明実施の形態】
図１は本発明を適用した冷凍装置の全体構成の一例を示す。
本例の冷凍装置は、冷凍回路部分として、冷媒の流れ方向の順に設けられた電子膨張弁１、蒸発器２、圧縮機３、凝縮器４、その他の図示しない通常の装備品を備えていると共に、開閉弁としての電磁弁５を介して圧縮機３で圧縮されたホットガスを蒸発器２に供給可能なように導設されたホットガス供給系６を備えている。
【０００８】
この冷凍装置には、ホットガス供給系６と関連して、電子膨張弁１に開度信号Ｐを与えてその開度Ｏを制御する通常の電子膨張弁開度制御部７及び電磁弁５を開閉制御する電磁弁開閉制御部８に加えて、通常時とは別に電子膨張弁の開度制御をする開制御手段及び閉制御手段を備えた電子膨張弁優先開度制御部９が設けられている。これらの制御部７、８、９は、次に説明する図２の環境試験装置１００では、通常その操作制御盤１０９に冷凍装置制御部分１１０として組み込まれる。
【０００９】
図２は、本発明の冷凍装置が好都合に適用される環境試験装置の概略構成の一例を示す。
環境試験装置１００は、断熱壁１０１で囲われていて、試験室１０２、空調室１０３、図１の冷凍装置を構成する前記蒸発器２、加熱器１０４、加湿器１０５、循環送風機１０６、温度センサ１０７、湿度センサ１０８、操作制御盤１０９、等で構成されている。冷凍装置の前記制御部７、８、９も通常操作制御盤１０９に冷凍装置制御部分１１０として組み込まれる。操作制御盤１０９は、図示しない温度及び湿度設定部を備えていて、温度及び湿度の設定値、センサ１０７、１０８によるこれらの実測値、設定値と実測値との偏差等を必要に応じて組み合わせた制御要素により、加熱器１０４、加湿器１０５、及び冷凍装置制御部分１１０を介して電子膨張弁１を制御し、試験室１０２内を目的とする温度及び湿度条件に調整する。
【００１０】
電子膨張弁１は、本例では図示しないパルスモータで開閉駆動される通常の形式の弁である。電子膨張弁１によれば、冷媒流量を十分小さい値まで制御できるが、冷媒流量を絞って冷凍能力を低下させると、圧縮機３の吸入圧力も低下する。そのため、電子膨張弁１は、この吸入圧力が下がり過ぎず圧縮機が正常な運転状態を維持できる範囲で開度制御される。このような冷凍能力Ｆの下限値Ｆ１  は、後に説明する図３に示す如く通常最大能力の２０〜３０％程度にされる。
【００１１】
電磁弁５は、冷凍能力が低いときにこれに対応して開又は閉にされる。即ち、電子膨張弁１の冷媒流量制御による冷凍能力制御のみでは、上記の如く冷凍能力に下限値Ｆ１  が設けられ、これより更に低い最低能力Ｆｏまで下げるような十分な省エネ運転ができないため、このような運転を可能にするべく電磁弁５が開かれる。又、運転条件によって冷凍能力が下限値Ｆ１  の近傍でこれより大きくなると閉じられる。なお、開閉弁としては、通常電磁弁が使用されるが、電動弁や空気作動弁等他の適当な形式の自動開閉弁も使用可能である。
【００１２】
電子膨張弁開度制御部７は、前述の如く、環境試験装置１００の操作制御盤１０９から温度及び湿度の設定値ｔｓｖ、ψｓｖと温度及び湿度センサ１０７、１０８の実測値ｔｐｖ、ψｐｖとを入力し、これらの値及び設定値と現在値との偏差等に対応して電子膨張弁１の開度を定める開度信号Ｐを発生させ、弁開度従って冷媒流量を制御し、冷凍装置の発生させる冷凍能力を環境試験装置１００の運転条件に適合した値にする。
【００１３】
このような開度信号Ｐは、パルス数として電子膨張弁１を駆動するパルスモータに与えられ、電子膨張弁１はこのパルス数に対応した開度になるように開閉される。この場合、電子膨張弁開度制御部７には、冷凍能力の下限値Ｆ１  に対応する下限開度Ｏ１  が設定されていて、温湿度による上記開度制御はこの下限開度以上の開度範囲で行われるので、開度信号Ｐとしては、最小開度から最大開度まで細かいピッチで開度を与えられるように、例えば下限開度信号Ｐ１  ＝１００から最大開度信号Ｐｍ＝５００までの範囲のパルス数にされる。
【００１４】
電磁弁開閉制御部８は、前述の如く冷凍能力が低いときにこれに対応して電磁弁５を開閉させるように制御する。そのため、冷凍能力Ｆを検出し、これを下限値Ｆ１  と比較し、ＦがＦ１  又はその近傍の値になると電磁弁５を開にし、Ｆ１  以上の一定の低能力Ｆ２  になると電磁弁５を閉にする。
【００１５】
この場合、本例では、冷凍能力には電磁弁の開又は閉のそれぞれにおける冷媒流量が対応し、冷媒流量には電子膨張弁１の開度が対応し、この開度は電子膨張弁開度制御部７がパルス数として発生させる開度信号Ｐに対応して定まることを利用して、電磁弁５の開又は閉のそれぞれの状態において開度信号Ｐを検出し、これを上記の下限開度信号Ｐ１  と比較し、電磁弁閉のときにＰがＰ１  になると電磁弁５を開き、電磁弁が開のときにＰが前記低能力Ｆ２  を与える低開度信号Ｐ２  になると電磁弁５を閉じるように制御している。
【００１６】
即ち、電磁弁開閉制御部８では、電磁弁閉においてパルス数Ｐが下限パルス数Ｐ１  ＝１００になったかどうかを判断し、電磁弁閉の状態でＰ１  が１００になると開信号Ｓｏを発信して電磁弁５を開にする。又、環境試験装置の運転状態が変わって、電磁弁開の状態でＰが低パルス数Ｐ２  ＝２００程度になると、閉信号Ｓｃを発信して電磁弁５を閉にする。このようなＰ１  とＰ２  との差は、同じ開度信号のときの電磁弁開閉時の冷凍能力の差及び開閉の繰り返しを防止するためのヒステリシスに相当するＦ１  とＦ２  との差の合計値に対応する。
【００１７】
なお、電磁弁の開閉状態は、電磁弁に送られた開閉信号履歴で判断する。但し、図１において二点鎖線で示す如く、電磁弁５に開閉センサ５１を設け、これによって実際の開閉を検知するようにしてもよい。又、上記では電子膨張弁１の開度を開度信号Ｐ１  、Ｐ２  で判断しているが、これに代えて、電子膨張弁１に開度センサを設け、実際の開度を検知するようにしてもよい。更に、ＰをＰ１  と比較して冷凍能力を判断する代わりに、環境試験装置の温湿度の設定値等、他の冷凍能力に対応する適当な信号を使用することも可能である。なお、パルス数や開度信号Ｐ１  、Ｐ２  の値は、実際の装置構成や運転条件等に適合するように定められることは勿論である。
【００１８】
電子膨張弁優先開度制御部９は、開制御手段と閉制御手段とが一体的に構成された制御部になっていて、本例では、前記電磁弁開閉制御部８、優先信号発信部分９１及び信号切換制御部分９２で構成されていて、電磁弁５が開又は閉になると、電子膨張弁１の開度を所定量大きくするか又は小さくするように、開度信号Ｐに優先させて開度アップ信号Ｐｕ又は開度ダウン信号Ｐｄを電子膨張弁１に与える。
【００１９】
即ち、電磁弁５が開又は閉になったことを、電磁弁５の実際の開閉に代えて開信号Ｓｏ又は閉信号Ｓｃによって判断するようにし、電磁弁制御部８からこれらの信号が発信されると時間を置かず電磁弁５が開又は閉になるものとして、電磁弁開閉制御部８から優先信号発信部分９１にＳｏ又はＳｃを送信する。優先信号発信部分９１は、電子膨張弁１の開度を所定量大きくするか小さくするための開度アップ信号Ｐｕ及び開度ダウン信号Ｐｄの値を保有していて、Ｓｏ又はＳｃによってＰｕ又はＰｄを信号切換制御部分９２へ送信する。信号切換制御部分９２は、論理回路構成等により、電子膨張弁開度制御部７から常時送信されている開度信号Ｐに優先させてＰｕ又はＰｄを通過させ、これを電子膨張弁１に供給する。
【００２０】
ここで、電磁弁５の開閉時に電子膨張弁１の開度をＰｕ＝Ｐ１  ＋αとして大きくする所定量α又はＰｄ＝Ｐ２  −βとして小さくする所定量βは、図３に示す如く、通常、電磁弁５の開閉によって変動した冷凍能力を開閉直前の冷凍能力に復帰させるための開度又はその近傍の開度にされる。即ち、電磁弁５を開き蒸発器２にホットガスを流すと、電子膨張弁１の開度を下げて冷凍流量を減少させるときと同様な冷凍能力低減効果が生ずるので、この冷凍能力の急激な低下を解消できる程度の開度にされる。
このような所定量α、βは、ほぼ（ｈ１  −ｈ）ｇ１  ／（ｈ−Ｈ）で与えられるホットガスによる冷凍能力調整量に相当する冷媒流量ｇを流す開度にされる。ここで、ｈ１  、ｈ及びＨはそれぞれ、蒸発器に供給されるホットガス、蒸発器から排出される冷媒蒸気及び蒸発器に供給される冷媒液のエンタルピで、ｇ１  はホットガス流量である。
【００２１】
冷媒種類や冷凍回路構成によって異なるが、例えば、ホットガスが９０℃、２ＭＰａでｈ１  ≒６７０Ｊ／ｇ  、冷媒蒸気が０℃、０．４ＭＰａでｈ≒６３０Ｊ／ｇ  、冷媒液が２ＭＰａ、５０℃でＨ≒４８０Ｊ／ｇ  とすれば、ｇ≒０．２７ｇ１  になり、ｇは通常ｇ１  の１／４〜１／３程度になる。このような冷媒流量ｇは、例えばホットガス導入前の最小冷媒流量の５０％程度に相当する量にされる。
【００２２】
このような冷凍能力の調整量ｇに対応する開度α、βは、予め計算されてＰｕ、Ｐｄとして優先信号発信部分９１に入れられている。前例のパルス数では５０パルスである。α、βは通常同じ値にされるが、必要に応じて多少差を付けてもよい。なお、このような優先信号は電磁弁５が開閉したときに発信され、それによって電子膨張弁１が優先的に開度制御されるが、そのように制御された開度になった後には、電子膨張弁開度制御部７により通常の開度制御に移行する。
【００２３】
以上のような冷凍装置は次のように運転されその作用効果を発揮する。以下では、冷凍装置が環境試験装置に装備された例で説明する。
【００２４】
図３は電磁弁開閉時における電子膨張弁の開度と冷凍能力との概略の関係を示す。
環境試験装置１００で試験室１０２の温度が例えば−２０℃程度の低温条件に設定されると、冷凍装置では、高い冷凍能力Ｆｈを発生させるように電子膨張弁１が例えばパルス数４００程度の高い開度Ｏｈになるように制御される。このときには電磁弁５は当然閉になっている。図３ではこの状態を▲１▼で示している。
【００２５】
このような運転から運転条件が変更され、例えば温度が３０℃程度で相対湿度が冷凍機による大きな除湿能力を要求されない５０％程度の運転条件になると、このような温度及び湿度の設定値及び実測値が電子膨張弁開度制御部７に与えられ、電子膨張弁開度制御部７は電子膨張弁優先開度制御部９の信号切換制御部分９２を介して電子膨張弁１に開度信号Ｐとしてパルス数１００程度の下限開度信号Ｐ１  までの信号を与え、電子膨張弁を下限開度Ｏ１  に到達させ、冷凍能力が下限値Ｆ１  になるように制御する。このときの状態を図３では▲２▼で示している。
【００２６】
一方、開度信号Ｐは電磁弁開閉制御部８にも送られていて、ＰがＰ１  又はその近傍になると、これを検出して電磁弁５に開信号Ｓｏを送り、電磁弁５を開にする。これにより、冷凍能力ＦはＦ１  より更に低い▲３▼で示すＦ０  まで低下しようとする。そしてこのときには、ホットガスの作用によって圧縮機３の吸入圧力が上昇し、冷凍能力がＦ０  になっても圧縮機の正常運転は可能になっている。即ち、制御可能な冷凍能力ＦをＦ１  から更に最低能力Ｆ０  まで延長することができる。Ｆ０  は例えばＦ１  の５０％程度である。
【００２７】
一方、電磁弁５の開信号Ｓｏは優先信号発信部分９１にも送られていて、この部分がＳｏを受信すると、予め保有している開度アップ信号Ｐｕを信号切換制御部分９２に送る。これにより、この部分９２は、電子膨張弁開度制御部７から常時送られている信号Ｐに優先させて信号Ｐｕを通過させ、Ｐｕを電子膨張弁１に送る。このような制御系により、電磁弁５が開になるのとほぼ平行して、電子膨張弁１の開度がＰ１  に対応するＯ１  からＰｕに対応するＯｕへ拡大を開始する。その開度アップ完了後の状態を▲４▼で示す。
【００２８】
ここで、開度アップ信号Ｐｕが電子膨張弁１の開度を大きくする所定量αは電磁弁５の開による冷凍能力の減少分に対応する量にされるので、電磁弁５の開による▲２▼位置から▲３▼位置への二点鎖線の矢印で示すような冷凍能力の急激な低下が、▲２▼位置から▲４▼位置への実線の矢印で示すような変化に修正される。
【００２９】
その結果、従来の装置のように、冷凍能力が大幅に低下し、循環空気の温度及び湿度がその影響を受けて大きく変動し、これを修正するように加熱器及び加湿器が出力を下げるように制御され、このような状態変化が生じた後に、冷凍能力従って電子膨張弁１の開度が調整されるというように、一度制御系に乱れが生じた後に冷凍能力が再調整されるというのではなく、本発明の装置では、冷凍能力がその急変を回避するように迅速に修正され、試験条件である温湿度が安定した状態に維持されることになる。
【００３０】
電磁弁５が開になって開度アップ信号Ｐｕが一度優先的に与えられると、その後は通常の開度制御に復帰する。この場合、電磁弁５の開く前の開度信号がＰ１  であり、その後冷凍能力に対する要求値が大きく変わっていないとすれば、電磁弁開後に電子膨張弁開度制御部７から発信される開度信号ＰはＰｕに比較的近い値になっているので、このＰｕに近い状態から通常の開度制御が円滑に再開されることになる。
【００３１】
環境試験装置の運転条件が例えば温度９０℃で相対湿度８５％という高温高湿条件になると、冷凍負荷は温湿度調整に必要なだけの最低値になり、電磁弁５が開を維持した状態で電子膨張弁１にはパルス数１００程度の下限開度信号Ｐ１  が与えられ、冷凍能力が最低値Ｆｏになり、蒸発器による冷却と除湿に伴う無駄な再加熱及び再加湿の出力が最小になり、十分な省エネ運転効果を得ることができる。
【００３２】
電磁弁開状態で環境試験装置１００の運転条件が例えば５℃程度の低温条件に再度移行すると、冷凍能力を大きくするために電子膨張弁１の開度信号ＰがＰ１  からＰ２  を通過して大きくなるが、Ｐ２  になって開度が▲５▼位置のＯ２  になると、電磁弁開閉制御部８がこれを検出して電磁弁５に閉信号Ｓｃを送ってこれを閉にする。
【００３３】
電磁弁５が閉になると、二点鎖線の矢印で示す如く、冷凍能力が▲６▼のＦ３  まで急上昇しようとする。このとき、閉信号Ｓｃが優先信号発信部分９１にも並行して送られ、今度はここで開度ダウン信号Ｐｄを発生させ、信号切換制御部分９２がこれを受け、これまでのＰに代わってＰｄを通過させて電子膨張弁１に供給する。その結果、電子膨張弁１は開度をＰ２  に対応するＯ２  からＰｄに対応するＯｄにし、冷凍能力をＦ３  に代えてＦ２  に減少させる。図３では、この状態を、二点鎖線の矢印で示す▲５▼から▲６▼への変化に代えて、実線の矢印で示す▲５▼から▲７▼への変化として示している。即ち、電磁弁閉による急激な冷凍能力の増加が直ちに修正されることになる。
【００３４】
以上のような電磁弁の開閉と電子膨張弁の優先開度制御との組合せからなる本発明の冷凍装置によれば、冷凍能力の急変がなく環境試験装置の温度及び湿度条件が乱されず、改善された良好な運転状態を維持しつつ、冷凍能力の下限を更に下方に延長し、一層の省エネ効果を得ることができる。
【００３５】
図４は本発明を適用した冷凍装置の全体構成の他の例を示し、図５はこれに対応した電子膨張弁開度と冷凍能力との関係を示す。
【００３６】
本例の冷凍装置では、電磁弁５が開いているときには、ホットガスが蒸発器２に流れることによって圧縮機の吸入圧力が上昇することを利用し、電子膨張弁１の開度の最小値である延長下限開度Ｏｏ  を電磁弁５が閉じているときの開度の最小値である下限開度Ｏ１  より小さくするようにしている。そのため、電子膨張弁開度制御部７に下限開度変更部分７１を設けると共に、電磁弁５の開状態を検出するために、電磁弁開閉制御部８で発生させる開閉信号Ｓｏ、Ｓｃ  又は電磁弁５の開閉センサ５１による実際の開閉信号Ｓｏｐ、Ｓｃｐを電子膨張弁開閉制御部７で検出するようにしている。この場合の延長下限開度Ｏ０  は、例えば下限開度Ｏ１  の５０％程度にされる。
【００３７】
本装置によれば、電磁弁５が開いて電子膨張弁１が開度調整して▲２▼から▲４▼の状態になると、電磁弁開の信号により、電子膨張弁開度制御部７の下限開度変更部分７１が開度限界を下限開度Ｏ１  から延長下限開度Ｏｏ  に設定変更し、これに対応する延長下限開度信号Ｐｏ  までの開度信号を電子膨張弁開度制御部７が発生させることになる。その結果、環境試験装置の運転条件が高温高湿条件等に設定されいてる場合等に、Ｐ１  より小さいＰｏ  までの開度信号を発生させ、冷凍能力をＦｏ  からＦｏ  １  まで更に低下させ、冷凍装置の一層の能力低減と無駄な加熱及び加湿出力を低減し、一層の省エネ運転を達成することができる。
【００３８】
【発明の効果】
以上の如く本発明によれば、請求項１の発明においては、冷凍装置が所定の構成を備えた電子膨張弁と開閉弁とホットガス供給系とを有し、冷凍能力が低いときに冷凍能力に対応して開又は閉にされる開閉弁を介して圧縮機で圧縮されたホットガスを蒸発器に供給可能にしているので、圧縮機の吸入圧力の制限等によって電子膨張弁の開度が制限されても、開閉弁を開閉することにより、必要時に冷凍能力を電子膨張弁の下限開度における能力以下に下げ、冷凍装置が装備される環境試験装置等における省エネ運転化を図ることができる。
【００３９】
そして、所定の構成を備えた開制御手段及び閉制御手段を持つ電子膨張弁優先開度制御部を設けて、開閉弁が開になると開度制御される電子膨張弁の開度を所定量大きくするように通常の開度信号に優先させて開度アップ信号を電子膨張弁に与え、開閉弁が閉になると開度制御される電子膨張弁の開度を所定量小さくするように通常の開度信号に優先させて開度ダウン信号を電子膨張弁に与えるので、所定量を開閉弁が開閉してホットガスによって冷凍能力が増減するときの冷凍能力に相当する電子膨張弁の開度の近傍に設定することにより、開閉弁が開閉して冷凍能力が急変しようとするときに、これに電子膨張弁の開度を対応させ、冷凍能力の急変を防止することができる。
【００４０】
このように、冷凍能力を急変させることなく、電子膨張弁の下限開度に対応する冷凍能力以下の低能力運転の可能な冷凍装置によれば、環境試験装置等の広範囲な温度及び湿度条件で運転される装置の冷却及び除湿装置として、乱れのない安定した精度の良い温度及び湿度制御の下に、十分な省エネ運転を可能にすることができる。
【００４１】
請求項２の発明は、開閉弁が開いて蒸発器にホットガスが流れると、直接的な冷凍能力低減効果に加えて、圧縮機の吸入圧力が上昇する効果が生ずることを利用し、開閉弁が開いているときの電子膨張弁の開度の最小値を開閉弁が閉じているときの開度の最小値より小さくしているので、必要時には、電子膨張弁の下限開度を更に低開度側に延長して、冷媒流量を少なくし、冷凍能力を更に低下させ、運転時の一層の省エネ化を図ることができる。
【図面の簡単な説明】
【図１】本発明を適用した冷凍装置の全体構成の一例を示す説明図である。
【図２】上記冷凍装置を装備した環境試験装置の一例を示す説明図である。
【図３】上記冷凍装置における電子膨張弁開度の変化と冷凍能力の変化の状態を示す説明図である。
【図４】本発明を適用した冷凍装置の全体構成の他の例を示す説明図である。
【図５】上記冷凍装置における電子膨張弁開度の変化と冷凍能力の変化の状態を示す説明図である。
【符号の説明】
１                電子膨張弁
２                蒸発器
３                圧縮機
５                電磁弁（開閉弁）
６                ホットガス供給系
７                電子膨張弁開度制御部（開制御手段、閉制御手段）
９                電子膨張弁優先開度制御部
９１              優先信号発信部分（開制御手段、閉制御手段）
９２              信号切換制御部分（開制御手段、閉制御手段）
Ｆ                冷凍能力
Ｏ１                下限開度（開閉弁閉時の電子膨張弁開度の最小値）
Ｏｏ                延長下限開度（開閉弁開時の電子膨張弁開度の最小値）
Ｐ                開度信号
Ｐｕ              開度アップ信号
Ｐｄ              開度ダウン信号
α、β            所定量
【図１】
2004218890.tif 000003
【図２】
2004218890.tif 000004
【図３】
2004218890.tif 000005
【図４】
2004218890.tif 000006
【図５】
2004218890.tif 000007